(57)【特許請求の範囲】
【請求項１】
本体前部の下部に、ラインを外力で引きながら泳がし、且つラインを引く前記外力の強弱で角度が可変となる第１リップを設けた魚釣り用リップ付きルアーであって、
前記本体前部の下部に設けた前記第１リップ裏面に、第２リップ表面が前方を向くように前記第２リップを垂直又はそれ以外の角度で立てて設けたことを特徴とする魚釣り用リップ付きルアー。
【請求項２】
前記第１リップ裏面の前記第２リップより後部に第１フックを設け、前記本体下部の第１フックアイと前記第１リップとの間の前記本体の一部に第２フックを設け、前記第１フックと前記第２フックが引っ張り合う方向に加勢する弾力ゴムを備え、第１リップが潜行位置に備わるように強制させた、請求項１記載の魚釣り用リップ付きルアー。
【請求項３】
前記第１リップ表面の面積より、前記第２リップ表面の面積を小さくしている請求項１又は２に記載の魚釣り用リップ付きルアー。
【発明の詳細な説明】
【０００１】
【産業上の利用分野】
本発明は、魚釣り用リップ付きルアーの改良に関するものである。
【０００２】
【従来の技術】
従来の魚釣り用リップ付きルアーでは、ラインアイにラインを接続し、そのラインを外力で引くことにより、固定されたリップが水の抵抗を受けて一定の深度で泳ぐことしかできなかった。
【０００３】
【発明が解決しようとする課題】
解決しようとする問題点は、魚釣り用リップ付きルアーでは、固定されたリップが水の抵抗を受けて、一定の深度まで達した後、釣り人の足下に来るまで、水平に泳ぐことしか出来なかったため、リップ付きルアーの深度より浅い場所に来ると回避出来ず、リップ付きルアーが浅瀬に激突し破損したり、フックが海底に引っかかったり、また、単調な泳ぎのため、魚に飽きられ釣果を低下させる問題点がある。
本発明はこのような問題点を改善して、ラインの引き具合でリップ付きルアーの第１リップの角度を操作し浮上させたり、潜行させたりすることが出来る魚釣り用リップ付きルアーの提供を目的とする。
【０００４】
【課題を解決するための手段】
本発明は前記目的を達成するために、
請求項１に係る発明は、本体前部の下部に、ラインを外力で引きながら泳がし、且つ前記ラインを引く外力の強弱で角度が可変となる第１リップを設けた魚釣り用リップ付きルアーであって、前記本体前部の下部に設けた前記第１リップ裏面に、第２リップ表面が前方を向くように前記第２リップを垂直又はそれ以外の角度で立てて設けている。そのため、ラインを引くと、第１リップが本体接続部の支軸を中心に、ラインアイ側に折れ曲がり接触し、潜行位置から浮上位置に移行し、第２リップが水の抵抗を受けることになり、浮上しながらも本体後部を左右に振ることが出来るがゆえに、いかなる状態においても本体後部を左右に振り続けるのである。
また、請求項２に係る発明は、請求項１記載の魚釣り用リップ付きルアーにおける前記第１リップ裏面の前記第２リップより後部に第１フックを設け、前記本体下部の第１フックアイと前記第１リップとの間の前記本体の一部に第２フックを設け、前記第１フックと前記第２フックが引っ張り合う方向に加勢する弾力ゴムを備え、第１リップが潜行位置に備わるように強制させている。そのため、弾性の強い弾力ゴムを取り付け、それよりも強い外力でラインを引き、浮上させたり潜行させたりできることは、高速で操作することができることであり、弾性の弱い弾力ゴムを取り付け、それよりも強い外力でラインを引き、浮上させたり潜行させたりできることは、低速で操作することができることであるため、弾力ゴムの強弱で多様な泳がせ方ができるのである。
更に、請求項３に係る発明は、請求項１または２の何れかに記載の魚釣り用リップ付きルアーにおける前記第１リップ表面の面積より、前記第２リップ表面の面積を小さくしている。そのため、本体後部を左右に振る幅が小さくなるため高速で泳ぐことに適し、そしてラインを引く外力を弾力ゴムの弾性よりも弱めると、弾力ゴムの弾性で第１リップを浮上位置から潜行位置に移行し、第１リップ表面が水の抵抗を受けて本体後部を振る幅が大きくなり低速で泳ぎ潜行するのである。
【０００５】
【作用】
上記特徴を構成すると、ラインを外力で引き、リップ付きルアーを泳がせている状態において、第１リップ表面が水の抵抗を受けて本体後部を左右に振りながら潜行し、泳いでいる状態で、第１リップ裏面の第２リップより後部に設けた第１フックと、本体下部の第１フックアイと第１リップとの間の本体の一部に設けた第２フックに接続されている弾力ゴムの弾性より強い外力でラインを引くと、第１リップが本体接続部の支軸を中心に、ラインアイ側に折れ曲がり接触し、潜行位置から浮上位置に移行し、第２リップが水の抵抗を受けることになり、浮上しながらも本体後部を左右に振ることが出来るがゆえに、いかなる状態においても本体後部を左右に振り続けることができ、第１リップ表面の面積より、第２リップ表面の面積を小さくしているゆえに、本体後部を左右に振る幅が小さくなるため高速で泳ぐことに適し、そしてラインを引く外力を弾力ゴムの弾性よりも弱めると、弾力ゴムの弾性で第１リップを浮上位置から潜行位置に移行し、第１リップ表面が水の抵抗を受けて本体後部を振る幅が大きくなり低速で泳ぎ潜行する。
【０００６】
又、弾性の強い弾力ゴムを取り付け、それよりも強い外力でラインを引き、浮上させたり潜行させたりできることは、高速で操作することができることであり、弾性の弱い弾力ゴムを取り付け、それよりも強い外力でラインを引き、浮上させたり潜行させたりできることは、低速で操作することができることであるため、弾力ゴムの強弱で多様な泳がせ方ができるのである。
【０００７】
【発明の効果】
従って、海面近くを高速で泳ぐ魚には高速で対応し、海底近くを低速で泳ぐ魚には低速で対応でき、さらにリップ付きルアーを浮上させたり潜行させたりすることが可能であるため、水中の障害物や浅瀬を回避し、さらに魚の興味を引くことができる。
【０００８】
【実施例】
以下、本発明の実施例を図面に基づいて説明する。
図１に示すように本体１前部にライン１０を介するラインアイ２を設け、本体１前部の下部にラインアイ２側に折れ曲がり接触可能とした第１リップ３には、ライン１０を接続することができ、本体１後部には第２フックアイ９ａを設け、第１リップ裏面３ｂに第２リップ表面１５が前方を向くように第２リップ４を垂直又はそれ以外の角度で立てて設け、第１リップ裏面３ｂの第２リップ４より後部に設けた第１フック７と本体１下部で第１フックアイ９と第１リップ３との間の本体１の一部に設けられた第２フック７ａが引っ張り合うように、第１フック７と第２フック７ａにそれぞれ弾力ゴム８の一端を接続し、第１リップ３が潜行位置に備わるように構成する。
【０００９】
図２に示すように、本体１の前部に設けたラインアイ２にはラインアイ孔１１が滑り材１２で構成され、さらに、本体１前部の下部に設けた第１リップ３には第１リップ孔１３を備え、ラインアイ２及び第１リップ３を構成する。
【００１０】
図３に示す潜行位置に備わった第１リップ３には停止部１４が設けられ、本体１の一部である支柱５に支軸６で接続され、後方には折れ曲がらなく、また、第１フックアイ９と第１リップ３の間の本体１の一部に設けられた第２フック７ａと第１リップ裏面３ｂの第２リップ４より後部に設けられた第１フック７に弾力ゴム８の一端が接続され、潜行位置に備わり第１リップ表面３ａに前方からの水流が当たるよう構成する。
【００１１】
図４に示す浮上位置に備わった第１リップ３の第１リップ裏面３ｂに第２リップ表面１５が前方を向くように第２リップ４を垂直又はそれ以外の角度で立てて設け、第１リップ裏面３ｂとそれに設けた第２リップ表面１５に前方からの水流が当たるよう構成する。
尚、図１に示すバランサー１６はリップ付きルアーの泳ぎのバランスを取る重りでありる。
【図面の簡単な説明】
【図１】本発明の一実施例によるリップ付きルアーの全体側面図。
【図２】前記リップ付きルアーの第１リップ等を示す斜視図。
【図３】前記リップ付きルアーの前記第１リップが潜行位置を示す側面図。
【図４】前記リップ付きルアーの前記第１リップが浮上位置を示す側面図。
【符号の説明】
１  本体
２  ラインアイ
３  第１リップ
３ａ  第１リップ表面
３ｂ  第１リップ裏面
４  第２リップ
５  支柱
６  支軸
７  第１フック
７ａ  第２フック
８  弾力ゴム
９  第１フックアイ
９ａ  第２フックアイ
１０  ライン
１１  ラインアイ孔
１２  滑り材
１３  第１リップ孔
１４  停止部
１５  第２リップ表面
１６  バランサー
【図１】
0003625289.tif 000002
【図２】
0003625289.tif 000003
【図３】
0003625289.tif 000004
【図４】
0003625289.tif 000005